(57)【要約】【課題】  現状露地やハウスの担い手であるじいちゃんばあちゃんでも簡単に設置して使い始めることが出来るような、または電源のことを考えなくて済むような、植物育成に適した新しいタイプの照光器具を提供する。【解決手段】  太陽電池と、前記太陽電池の出力を蓄電するための二次電池と後述する半導体発光素子の点灯消灯を制御する点消手段とから構成される電源部と、前記電源部に接続されて前記二次電池の出力を用いて発光して植物を照光するための前記半導体発光素子を有する照光部と、前記照光部を支持すると共に植物脇の土中に入れ込んで立たせるための支柱部と、から成る露地栽培やハウス栽培に於ける日照不足を補うための照光器具とした。【選択図】図１
2012028293.tif 000002
【特許請求の範囲】
【請求項１】
太陽電池と、前記太陽電池の出力を蓄電するための二次電池と後述する半導体発光素子の点灯消灯を制御する点消手段とから構成される電源部と、前記電源部に接続されて前記二次電池の出力を用いて発光して植物を照光するための前記半導体発光素子を有する照光部と、前記照光部を支持すると共に植物脇の土中に入れ込んで立たせるための支柱部と、から成る露地栽培やハウス栽培に於ける日照不足を補うための照光器具。
【請求項２】
前記支柱部が植物の生長に合わせて高さを調節し得るように設けられている、請求項１に記載の露地栽培やハウス栽培に於ける日照不足を補うための照光器具。
【請求項３】
前記照光部が前記支柱部に沿って設けられている、請求項１に記載の露地栽培やハウス栽培に於ける日照不足を補うための照光器具。
【請求項４】
前記照光部が植物の並びに沿うように水平方向に設けられている、請求項１に記載の露地栽培やハウス栽培に於ける日照不足を補うための照光器具。
【請求項５】
前記点消手段がリモコンスイッチである、請求項１に記載の露地栽培やハウス栽培に於ける日照不足を補うための照光器具。
【請求項６】
前記点消手段は前記半導体発光素子をパルス発光させる制御を行うことが出来るものである、請求項１に記載の露地栽培やハウス栽培に於ける日照不足を補うための照光器具。
【請求項７】
前記半導体発光素子は発光色の異なる複数種類の組合わせに成るものである、請求項１に記載の露地栽培やハウス栽培に於ける日照不足を補うための照光器具。
【請求項８】
前記半導体発光素子が発光色の異なる複数種類から成り、前記点消手段が前記半導体発光素子の種類毎に設けられている、請求項１に記載の露地栽培やハウス栽培に於ける日照不足を補うための照光器具。
【請求項９】
前記電源部の前記太陽電池の向きが可変であるように構成されている、請求項１に記載の露地栽培やハウス栽培に於ける日照不足を補うための照光器具。
【請求項１０】
頂部がネットを引っ掛けないように略球面状に形成されている、請求項１に記載の露地栽培やハウス栽培に於ける日照不足を補うための照光器具。
【請求項１１】
太陽電池と、前記太陽電池の出力を蓄電するための二次電池と後述する半導体発光素子の点灯消灯を制御する点消手段とから構成される電源部と、前記電源部に接続されて前記二次電池の出力を用いて発光して植物を照光し育成するための前記半導体発光素子を有する照光部と、前記照光部を支持すると共に植物脇の土中に入れ込んで立たせるための支柱部とから成る照光器具と、前記植物を育成するものであると共に前記照光器具を前記支柱部を用いて植物の茎や幹の近くに立たせるものであるところの栽培土地と、による露地栽培やハウス栽培に於ける日照不足を補うための照光システム。
【発明の詳細な説明】
【技術分野】
【０００１】  この考案は、露地栽培やハウス栽培に於ける日照不足を補うための、半導体発光素子を用いた照光器具に関する。なお半導体発光素子には、エレクトロルミネッセンス（ＥＬ：ＥｌｅｃｔｒｏＬｕｍｉｎｅｓｃｅｎｃｅ）やレーザーダイオード（ＤＬ：Ｄｉｏｄｅ  Ｌａｓｅｒ）がある。本願では半導体発光素子をＬＥＤ（Ｌｉｇｈｔ  Ｅｍｉｔｔｉｎｇ  Ｄｉｏｄｅ）（発光ダイオード）で代表して説明することとする。
【背景技術】
【０００２】  近年、建物内で人工の光を栽培植物に当てて成長を促進させようとする研究開発が盛んである。例えば米国特許６９２１１８２は、オレンジ色の第一ＬＥＤ群と、赤色の第二ＬＥＤ群と、青色の第三ＬＥＤ群とを適切な割合と照光角度とで配列することで、植物成長を強化するための安価で高効率なＬＥＤランプとしたものである。また米国抄録２００１−４７６１８は、基盤上に交互に配電した赤色ＬＥＤと青色ＬＥＤを光源にして、太陽と同様の連続する光を提供すると共に、発光に係る仕事量を制御することを可能にしたものである。ＬＥＤなどの半導体発光素子には、植物の種類に合わせて、各々の植物の生育に好都合な特定波長の光を選択的に用いたり、光の強さや照光時間等を制御したりすることを、容易に行わせ得ると言う特長がある。このようなＬＥＤランプはＬＥＤを集合させたパネルの形態や電球の形態で提供され、いわゆる植物工場の天井や壁面にしっかりと固定される。最近では各種設備を整えた規模の大きなハウス栽培に於いても支柱などにＬＥＤランプを固定して用いる例が出て来ている。【０００３】  農作物栽培の歴史を一気に塗り替えそうな勢いの植物工場であるが、これによってこれまで培われて来た露地栽培やハウス栽培（省設備の規模の小さなものやトンネル支柱によって構成されたもの）がなくなってしまうわけではない。しかしながら露地栽培やハウス栽培には日照不足と言う大きな問題がある。長雨や曇り続きによって日照不足になると、栽培植物に悪い影響が現われる。安定した日照が得られないと、例えば桃農家では桃の実が着かなかったり、着いても実の色付きが悪く糖度が上がらないなどの損害を被る。またトマト栽培では葉が枯れたり、裂果になるなどの問題を生ずる。徒長の症状が出るものもある。太陽光線不足は実に大きな問題なのである。現在このような問題を解決して、露地栽培やハウス栽培を進化させる必要に迫られている。【０００４】  当発明者は特願２００９−１９２８９５により、露地栽培やハウス栽培では、日照不足を補うための、設置が容易な、専用の照光器具が必要であるが、このようなものはこれまで存在していなかったこと、従来の植物工場に於けるＬＥＤランプは、露地栽培やハウス栽培のために必要な時には直ぐに容易に使用出来ると言うようなものではなく、適用柔軟性に欠けていたこと、を指摘して植物育成用の新たな照光器具を提案した。なおこのような照光器具に最適な電源を特願２０１０−１５８２８８で提案した。【０００５】  特願２００９−１９２８９５は、露地栽培やハウス栽培に於ける日照不足を補うべく、複数個の半導体発光素子をこの半導体発光素子に電力を供給するための電線と共に、植物を覆うための農業用ネットに取り付けて植物育成用の照光器具としたものである。露地やハウスで用いる器具としては、農作業の邪魔にならず、取り扱いが煩わしくなく、現状露地やハウスの担い手であるじいちゃんばあちゃんでも簡単に設置したり撤収したりすることが出来るものでなくてはならない。【０００６】  この発明が実に重要であることは後に発行された日本経済新聞２０１０年１月２５日号の記事“農業も「ソーラー産業」に育てよ”によっても裏付けられる。この記事ではソーラーエネ��ギー利用への転換の担い手の産業として農業や林業が位置付けられている。
【先行技術文献】
【特許文献】
【０００７】
【特許文献１】特願２００９−１９２８９５号公報
【特許文献２】特願２０１０−１５８２８８号公報
【非特許文献】
【０００８】
【非特許文献１】日本経済新聞２０１０年１月２５日号［５面オピニオン］、“農業も「ソーラー産業」に育てよ”、丸紅経済研究所所長柴田明夫氏
【発明の概要】
【発明が解決しようとする課題】
【０００９】  このように現在植物工場に目が行く中で、露地栽培や比較的に規模の小さなハウス栽培に着目した植物を育成することが出来る照光器具を提案したことは、この分野にとり極めて重要な進歩であった。そこで当発明者は更に選択肢を拡げるべく、上述の発明とは異なるタイプの、現状露地やハウスの担い手であるじいちゃんばあちゃんでも簡単に設置して使い始めることが出来るようなまたは電源のことを考えなくて済むような、そうした植物を育成する照光器具を提供して日照不足を補う一助としたいものと思考した。この発明はこのような課題を解決することを目的とする。
【課題を解決するための手段】
【００１０】  上記の課題は、太陽電池と、前記太陽電池の出力を蓄電するための二次電池と後述する半導体発光素子の点灯消灯を制御する点消手段とから構成される電源部と、前記電源部に接続されて前記二次電池の出力を用いて発光して植物を照光するための前記半導体発光素子を有する照光部と、前記照光部を支持すると共に植物脇の土中に入れ込んで立たせるための支柱部と、から成る露地栽培やハウス栽培に於ける日照不足を補うための照光器具とすることによって達成される。電源部の太陽電池は好適な実施例としてこの照光器具の頂部に配置される。照光部は、植物育成用の半導体発光素子に例えばＬＥＤを用い、ＬＥＤから発する光が照光対象の植物に当るような向きにして取り付けて成るものである。この照光器具は植物の近くの栽培土に支柱を挿したりねじ込んだりして支柱を立たせることによって使い始めることが出来る。太陽電池で発電した電力は二次電池に蓄えられて、この電力が点消手段をＯＮにすることでＬＥＤに供給される。この植物育成用のＬＥＤから発する光を照光対象の植物に当てることによって、日照不足解消の一助とすることが出来、これにより植物のストレス（疲れ）を軽減し得るのである。ＬＥＤは一般的に熱をあまり発生しないので、植物に近接させて照光することが出来る。この照光器具は栽培植物の茎や幹の近くの土に支柱を挿したりねじ込んだりして立てるだけであるから、恰もイボ竹（登録商標）を畝やプランタの土に挿すこれまでの作業と同じような要領で、誰にでも容易に設置することが可能である。またこの植物育成用の照光器具の複数台を畑の好きな場所に分散させて設置することが出来る。電源部に太陽電池を備えているので電気代は無料であり、電源のための配線の引き回しも基本的に不要である。【００１１】  なお前記支柱部としては、樹脂被覆鋼管等の支柱や樹脂被覆鉄線になるトンネル支柱なども、土中に入れ込んで立たせるものとしてこの発明に利用することが可能である。支柱の先を尖らせるようにすると地面に刺し入れやすくなる。また前記電源部の点消手段には一般的な接点式スイッチや、光センサを備えて環境が暗くなるとスイッチをＯＮにする光センサスイッチや、設定した時刻になるとＯＮにするタイマスイッチなどを用いることが出来る。なお光センサには太陽電池を利用する設計が可能である。より複雑には光センサスイッチとタイマスイッチとを組合わせて、例えば日没から昨日の日没時刻の３時間後までをＯＮとしたり、昨日の日昇時刻の３時間前から日昇までをＯＮとしたりするような設計も可能である。日昇時刻や日没時刻には、昨日光センサスイッチが働いた時刻をタイマの記憶部に記録したものを用いるのである。【００１２】  植物育成用のＬＥＤの発光色に付いて、例えば赤色ＬＥＤを単独で用いたり、また赤色ＬＥＤと青色ＬＥＤとを例えば４対１で混用するなど、植物の種類や育成の目的に応じて最適化すれば良い。ＬＥＤは色々な波長のものが開発されているが、植物の光生理に基づけば、赤色はおよそ波長が６６０ｎｍ±５０ｎｍの範囲のものであり、青色はおよそ波長が４７０ｎｍ±５０ｎｍの範囲のものである。さらにＬＥＤの発光時間や発光パターンを制御し得るように構成することが出来る。連続��て点灯させる他にフリッカさせる場合がある。このあたりのことは例えば上述した技術の他、既存の技術が参考になるので、煩雑となるのを避けて更なる説明を省略する。このようなＬＥＤによる照光部を、電源部のあたりやこれ等を支持する支柱部のあたりに設けるのである。なおＬＥＤの光が照光対象の植物に当るような向きにしてＬＥＤを取り付けるに当たり、ＬＥＤを直接的に照光対象の植物に向けても良いが、そうせずともプリズムやミラーを備えればこれによって光を植物の方に向けることが可能である。あるいはプリズムやミラーやＬＥＤの方向を制御し得る仕組みを備えるようにしても良い。【００１３】  次に、前記支柱部が植物の生長に合わせて高さを調節し得るように設けられているものとすることが出来る。例えば植物を上方から照光したいのであれば、照光部は植物の生長に合わせて高さを高くする調節を行えるようにしたい。このためには支柱部を例えばアンテナのように伸長可能に且つ適宜長さで固定し得るように構成したり、支柱部を釣り竿のようにパーツに分けておき、パーツを追加して接ぎ連ねて伸長し得るように構成したりすれば良い。あるいは支柱部を尺取りのように構成しても高さを調節し得る。または例えば植物の生長で太陽電池に葉の影が掛かるようになるのを防止したいのであれば、上記同様の構成とすれば良い。なお太陽電池が生長する植物の高さよりも高い位置にあるように調節すべく、太陽電池部分を照光部に対して上方に高くする調節が行い得るように構成しても良い。あるいは太陽電池部分を分離し、上方にワイヤーを張設するなどしてこれにぶら下げ得るように構成しても良い。【００１４】  次に、前記照光部が前記支柱部に沿って設けられているものとすることが出来る。これは植物を側面から照光したいとする場合の構成である。これには複数個のＬＥＤを使用する。複数個のＬＥＤは個々のＬＥＤランプをビニール被覆線等の電線で繋げることで構成することが出来る。樹脂皮膜で覆われた導線を帯状に束ねたフラットコードと呼ばれる電線を用いることが出来る。あるいは表面実装（Ｓｕｒｆａｃｅ  Ｍｏｕｎｔ）によって配線を含んだＬＥＤストリングを構成することが出来る。その他の方式を採用しても良い。複数個のＬＥＤは直列接続にする、直列接続されたグループの複数グループを並列接続にする、等々所要の接続方式を採用すれば良い。このようなＬＥＤを例えば支柱部の表面に長手方向に埋め込んだり、透明なパイプで構成された支柱部の内部に収めたりするのである。あるいは前記テープ状のＬＥＤやチューブ状のＬＥＤをこの照光器具の上部から吊したりすることでも実現可能である。【００１５】  次に、前記照光部が植物の並びに沿うように横方向に設けられているものとすることが出来る。例えば支柱部の頂部に照光部を支柱部と照光部とでＴ字形状を呈するように設ければ、土中に入れ込んで立たせた支柱部の両側に畝に沿って並ぶ何株かの植物への照光を引き受けることが出来る。【００１６】  次に、前記点消手段がリモコンスイッチであるものとすることが出来る。上述したように電源部の点消手段を一般的な接点式スイッチとする設計が可能である。ところが複数台の照光器具を広い畑に分散させて設置しているような状���では、１台１台をＯＮ／ＯＦＦして回るのは容易ではない。そこでこの発明の植物育成用の照光器具に通信部を持たせ、リモコンからの指令を受信して点消手段が照光部のＯＮ／ＯＦＦを行うように構成するのである。従って複数台の照光器具を一斉にＯＮ／ＯＦＦさせることが可能である。通信部には無線式や遠赤外線式のものを任意に採用し得る。この発明の照光器具は支柱部によって単独で立つことが出来、植物育成用の照光部は電源部を備えて外部からの給電はなくても良いように構成することが出来、農作業の邪魔になりにくいものであるから、点消手段のためだけに隣り合う照光器具を線でつなぐことは避けたい場合がある。【００１７】  次に、前記点消手段は前記半導体発光素子をパルス発光させる制御を行うものとすることが出来る。連続照光とは異なるものであるパルス発光は、植物工場に於いては明反応と暗反応とを効率的に組合わせて、光合成をさらに促進する目的のために利用されている。ＬＥＤは高速で点滅出来るため、この発明にパルス発光を適用するのは容易である。例えばマルチバイブレータや正帰還オペアンプで一例として周期４００μｓのパルス発光を、光量を落とさないようにして行う。このようにすれば省エネの面からも都合が良い。【００１８】  次に、前記半導体発光素子は赤色ＬＥＤを単独で用いるものとしても良いが、発光色の異なる複数種類のＬＥＤの組合わせに成るものとすることが出来る。植物が行う光合成は葉緑素が光エネルギーを受けて、水と二酸化炭素とから糖を作り出すと言うものである。この葉緑素は太陽光スペクトルの緑色の光は反射するが赤色や青色の光を吸収しやすく、特に波長６６０ｎｍ近辺の赤色の光が光合成に有効である。しかしながら発芽の際や葉が出来る際には波長４７０近辺の青色の光が有効とされている。従って例えば発光色の異なるＬＥＤを２種組合わせるのであれば赤色と青色との組合わせが一般的である。なお除虫のためには虫の種類にもよるが、緑色ＬＥＤや黄色ＬＥＤを組合わせると良い。また赤色と青色と緑色のＬＥＤを組合わせた白色ＬＥＤとする構成が可能である。なお栽培植物の種類や各々の成長段階や葉を大きくしたいなどの特別な目的に応じたＬＥＤの組合わせに成る照光部の複数種類を交換可能に構成することも出来る。【００１９】  次に、植物育成用の前記半導体発光素子が発光色の異なる複数種類から成り、前記点消手段が前記半導体発光素子の種類毎に設けられているものとすることが出来る。栽培する植物によっても異なるが発芽促進、葉の生育促進、花成誘導、開花抑制などの目的に応じた最適な発光色（波長）に対する経験が正に現在蓄積されつつある。従って前記点消手段に関しても、スイッチに発光色別の表示を行ったり、上記目的別の表示を行ったりすることで使用が便利になる。これは前記リモコンスイッチが複数種類のスイッチを備えている場合にも応用し得る。またマイコンを備えて、発光色を変えて行く制御を、これからこの発明に係る露地栽培やハウス栽培を行って行く農家の経験を踏まえて、プログラマブルに行わせる設計も可能である。【００２０】  次に、前記電源部の前記太陽電池の向きが可変であるように構成されているものとすることが出来る。太陽電池は水平に設けても、傾斜角に関して例えば３０度の傾斜を付けて設けても良いが、太陽電池の傾斜角度をこの照光器具の使用者が調節し得るように設けるとより便利である。方位角に付いても同様に、使用者が調節し得るように構成することが出来る。この場合コンパスを備えていると都合が良い。【００２１】  次に、頂部がネットを引っ掛けないように略球面状に形成されているものとすることが出来る。野菜の上にネットを掛けたり除けたりすることがあるが、このような際にネットが引っ掛かるのは好ましいことではない。この対策として例えば網目が４センチ角目仕立のネットであれば、直径１０センチの略球面状の頂部となるように設計するのである。頂部に太陽電池を配置するのであれば、この上に太陽光を透す所要サイズの透明な略球面状のカバーを取り付けるようにすれば良い。【００２２】  なおこの発明は、太陽電池と、前記太陽電池の出力を蓄電するための二次電池と後述する半導体発光素子の点灯消灯を制御する点消手段とから構成される電源部と、前記電源部に接続されて前記二次電池の出力を用いて発光して植物を照光し育成するための前記半導体発光素子を有する照光部と、前記照光部を支持すると共に植物脇の土中に入れ込んで立たせるための支柱部とから成る照光器具と、前記植物を育成するものであると共に前記照光器具を前記支柱部を用いて植物の茎や幹の近くに立たせるものであるところの栽培土地と、による露地栽培やハウス栽培に於ける日照不足を補うための照光システムとして提供することが出来る。この照光システムについても上述のような各種の工夫を適用することが可能である。
【発明の効果】
【００２３】  この発明によって、現状露地やハウスの担い手であるじいちゃんばあちゃんでも簡単に設置して使い始めることが出来るような、または電源のことを考えなくて済むような、植物育成に適した新しいタイプの照光器具が提供された。
【図面の簡単な説明】
【００２４】
【図１】  実施形態１の照光器具の説明図である。
【図２】  この回路構成の説明図である。
【図３】  実施形態２の照光器具の説明図である。
【図４】  実施形態３の照光器具の説明図である。
【図５】  実施形態４の照光器具の説明図である。
【図６】  実施形態５のリモコン側の回路構成の説明図である。
【図７】  この照光器具側の回路構成の説明図である。
【図８】  実施形態６の照光器具の説明図である。
【図９】  実施形態７の照光器具の説明図である。
【図１０】  実施形態８の照光器具の説明図である。
【発明を実施するための形態】
【００２５】  この発明は以下で説明する実施形態に限定されず、種々バリエーションを与えることが出来る。各々の実施形態で実施した構成は他の実施形態にも適用することが出来る。
【実施形態１】
【００２６】  照光器具１は薄型方形の筐体１０の上側表面にソーラーパネル２（太陽電池）を有し、筐体１０の内部に充放電コントローラ２１の回路基板と、電気二重層コンデンサを用いた二次電池２０と、波長６６０ｎｍの植物育成用ＬＥＤライト２２とが収められており、その各々は図２で示す通りに接続されている。植物育成用ＬＥＤライト２２は充放電コントローラ２１の回路基板の裏面部に取り付けられて、後述する挿着口１１から突出するように設けられている。筐体１０の下側中央にはパイプ支柱１４を挿着するための挿着口１１が設けられており、パイプ支柱１４の上部は透明筒１２とされており、内部に植物育成用ＬＥＤライト２２が下方に向けて納められており、さらにその下側には植物育成用ＬＥＤライト２２から発せられる植物育成用の光を略横方向に反射するためのリフレクタ１３が取り付けられている。このパイプ支柱１４の下端部分は植物脇の土中に挿し入れることが出来るが、鎖線で示す斜めカット部１５を設ければさらに挿し入れやすくなる。あるいは補助的に土台を土中に埋め込んでおきこの土台の孔にパイプ支柱１４を挿し入れるように構成しても良い。なお照光器具１は防水性が付与されていることが望ましい。
【００２７】  この照光器具１を露地やハウスの育成対象の植物脇の土中にパイプ支柱１４を以て挿し入れて立たせるようにすると設置完了である。するとソーラーパネル２が太陽光を受けて発電し、充放電コントローラ２１がこの電力を二次電池２０に充電する。ソーラーパネル２は光センサとしても使用され（光センサを別個に設ける設計も可能である）、日没等により環境が暗くなるとソーラーパネル２が感応するため、これを以て充放電コントローラ２１は二次電池２０の電力を植物育成用ＬＥＤライト２２に印加する。ここから発せられた植物育成用の赤色光はリフレクタ１３で反射され透明筒１２を透過して照光器具１脇の育成対象の植物に当たるようになる。植物育成用ＬＥＤライト２２の波長６６０ｎｍは、クロロフィルの吸収ピークと光形態形成の強光反応の作用スペクトルのピークにほぼ一致する。このようにしてこの発明の照光器具１を用いることは日照不足解消の一助となる。しかも電源は不要であり、現状露地やハウスの担い手であるじいちゃんばあちゃんでも、簡単に設置して使い始めることが出来る。
【実施形態２】
【００２８】  照光器具３は円形の筐体３０の上側表面にソーラーパネル２３を有すると共に、下側の透明カバー３１の中に各々が赤色３、青色１の発光素子を組み込んだ複数個の植物育成用ＬＥＤライト２２を有する。筐体３０の下側中央にはパイプ３３が設けられており、この先にパイプ３４がその挿着突起３５によりパイプ３３に嵌合されており、さらにその先に尖端部材３７が、その挿着突起３８によってその前のパイプ３４に嵌合されている。この尖端部材３７があることによって植物脇の土中に挿し入れることがより容易なものとなっている。このようにしてパイプ支柱が構成されているが、前記パイプ３４を追加して行くことでパイプ支柱を伸長させることが出来る。これは植物の生長に合わせて照光器具３の高さを高くすることで都合良く照光することを可能にするための重要な構成なのである。なおこの追加のパイプ３４はその一端に挿着突起３５を有すると共に他端にこの挿着突起３５を嵌合させるための挿着溝３６を有している。
【００２９】  一方、前記ソーラーパネル２３はその下側中央に設けたスライド杆２４を、筐体３０の中央からパイプ３３に通されているため、筐体３０から遠ざけたり筐体３０の上側に設けた収容溝３２に収めたりすることが可能である。すなわちソーラーパネル２３をアンテナのように引き出して行くことでソーラーパネル２３が生長する植物の高さよりも高い位置にあるように調節して、発電効率を高めることが出来るのである。
【実施形態３】
【００３０】  この照光器具４では、ソーラーパネル２５は回動軸４２によって円形の筐体４０の上側表面に回動自在に取り付けられている。このためソーラーパネル２５を筐体４０に設けた収容溝４１の内に収めることも、また例えば３０度の傾斜に設定するなどして発電効率をより高めることも可能である。
【００３１】  この照光器具４の筐体４０の下側中央には透明パイプ支柱４３が取り付けられており、この内部には図示しない充放電コントローラから電線２７にて吊り下げられた４個の植物育成用ＬＥＤライト２６が収められている。すなわち植物育成用ＬＥＤライト２６が透明パイプ支柱４３に沿って設けられており植物を側面から照光することが出来るのである。なお符号４４は尖端部材を、４５は挿着突起を指す。
【実施形態４】
【００３２】  照光器具５は、筐体５０が植物の並びに沿って横方向に長く設けられている点に特徴を有する。後述するパイプ５２を地面に垂直に挿して立てた時、筐体５０の上面のソーラーパネル２８の傾斜角が３０度となるように設けられている。また筐体５０の前記ソーラーパネル２８の面に対して直角に設けた面に複数個の植物育成用ＬＥＤライト２９の列が、斜め上方から植物を照光し得るように取り付けられている。この照光器具５は筐体５０と支柱部としてのパイプ５１，５２とで正面視略Ｔ字形状を呈しており、パイプ５２で立たせた時にパイプ５１，５２の両側に並ぶ何株かの植物への照光を引き受けることが出来るように構成されている。
【００３３】  この筐体５０には側面視クランク形状のパイプ５１が固定されており、このパイプ５１は締め付けネジ５３を介してパイプ５２の内に収められている。従って締め付けネジ５３を緩めてパイプ５２からパイプ５１を引き出し、この状態を固定すべく締め付けネジ５３を締めるようにすることで、植物育成用ＬＥＤライト２９の列が生長する植物に都合良く照光し得る高さに、筐体５０の高さを調節することが出来る。パイプ５２はその尖端部材５４によって容易に植物脇の土中に挿し入れることが可能であるが、締め付けネジ５３を緩めてパイプ５１から上を取り外しておき、パイプ５２上端に木板を宛がって木槌で土中に打ち込むようにしても良い。なおパイプ５１がクランク形状を呈することによって、筐体５０は植物よりも幾分北側に位置することになる。すなわち照光対象の植物の列に筐体５０の陰を落としにくい構成となっている。ソーラーパネル２８が細長い点もこの陰を作りにくいことに一役買っている。
【実施形態５】
【００３４】  図６はこの実施形態の照光器具の回路構成に係り、また図７はリモコン側の回路構成に係る。リモコン側はスイッチ回路６０が例えば「発芽期」「生育期」「花成期」の３つの時期に対応させた第１スイッチ６１，第２スイッチ６２，第３スイッチ６３を備え、この何れのスイッチかがＯＮにされるとこの情報を送信回路６にて、露地やハウスに散在する照光器具に一斉に送信する。またＯＦＦの指令の場合にはこれまでＯＮであったスイッチがＯＦＦにされるので、これを一斉に送信する。
【００３５】  各々の照光器具側では、受信回路２０１を用いてこの電波を受信して、何れのスイッチが押されたかの情報を得て、充放電コントローラ２００がこの指令に対応する植物育成用ＬＥＤライト２０２をＯＮにする。現状露地やハウスの担い手である所のじいちゃんばあちゃんにも便利な機能である。
【実施形態６】
【００３６】  照光器具７は円形の筐体７０の上側表面にソーラーパネル２０３を有して、筐体７０に球面状を呈する透明半球カバー７２が被せられている。また下側の透明カバー７１の中に図示しない複数個の植物育成用ＬＥＤライトが収められている。筐体７０の下側中央にはパイプ７３が設けられており、このパイプ７３は締め付けネジ７５を介してパイプ７４の内に収められている。従って締め付けネジ７５を緩めてパイプ７４からパイプ７３を引き出し、この状態を固定すべく締め付けネジ７５を締めるようにすることにより、照光器具７が生長する植物に都合良く照光し得る高さに、透明カバー７１の高さを調節することが出来る。またパイプ７４はその尖端部材７６により容易に植物脇の土中に挿し入れることが可能である。この際にパイプ７４に設けられた踏み込み板７７を恰もスコップを土中に突き刺す時のように足で踏み込むようにする。このように脚の力を借りることで、パイプ７４を誰にでも容易に土中に挿し入れることが出来る。
【００３７】  この照光器具７の上から農業用ネットＮを掛けることが出来る。透明半球カバー７２は農業用ネットＮが引かれたような場合であってもこれを引っ掛けることなくするりと躱すことが可能である。透明半球カバー７２は太陽光を透すためソーラーパネル２０３の発電を妨げない。露地やハウスに於けるこのような農作業の自然な流れを妨げないありかたは重要である。
【実施形態７】
【００３８】  照光器具８は光透過型ソーラーパネル２０４を２枚のガラス板８１，８２で保護すべく挟着したものを円形の枠体８０によって一体化したものであり、その下面中央部に図示しないＬＥＤを収めた発光部８３が、更にその下に図示しない発光回路を収めた回路部８４が取り付けられている。光透過型ソーラーパネル２０４で起こされた電力は回路部８４にて周期４００μｓのパルス発光に変換され発光部８３の赤色４個と青色１個の組み合わせに成るＬＥＤに印加され、発光部８３の透明カバーを通してその発光が観察される。
【００３９】  この実施形態の照光器具８では、照光器具そのものが植物に出来るだけ陰を落とさないようにしたいとして光透過型ソーラーパネル２０４を用いている点に特長を有する。光透過型ソーラーパネル２０４を用いて発電した後の太陽光が、矢線で示したように光透過型ソーラーパネル２０４を透過してその下方の植物に当たるようになる。この他、実施形態４の照光器具５のように太陽電池部分を出来るだけ細身に構成することでも日陰を分散させることが出来る。なお図９中符号８５，８６はパイプを、符号８７は締め付けネジを、符号８８は尖端部材を指し、その働きは上述した実施形態６のものに倣う。
【実施形態８】
【００４０】  照光器具９は植物育成用ＬＥＤライト２０６とこの駆動回路とを有する照光部９２と、ソーラーパネル２０５を収めた筐体９０とを、アーチ型パイプ９３で支持すると共に植物脇の土中に入れ込んで立たせるように構成したものである。このアーチ型パイプ９３にはビニールを被せて簡易型のハウスを構成することが出来る。筐体９０はパッカー９１によってアーチ型パイプ９３の頂部に外側から取り付けられる。照光部９２はアーチ型パイプ９３の頂部の内側に固定されている。ソーラーパネル２０４５照光部９２とは図示しない電線によって接続されている。なお照光部９２の下面の植物育成用ＬＥＤライト２０６は赤色と青色とを混在させた構成に成るものである。
【００４１】  この照光器具９は、アーチ型パイプ９３で育成対象の植物を跨ぐようにして両先端部分を土中に挿し入れて立たせるようにする。ソーラーパネル２０５が太陽光を受けて発電して、照光部９２内の図示しない駆動回路（充放電コントローラである）がこの電力を図示しない二次電池に充電する。筐体９０には図示しない光センサが設けられており、日没等により環境が暗くなると光センサがこれを関知し、この結果駆動回路が二次電池の電力を植物育成用ＬＥＤライト２０６に印加する。こうして発せられた赤色と青色のＬＥＤ光が下方の植物を恰も太陽のように照らす。このようにしてこの発明の照光器具９を用いることは日照不足解消の一助となる。しかも電源は不要であり、現状露地やハウスの担い手であるじいちゃんばあちゃんでも、簡単に設置して使い始めることが出来る。
【００４２】  なお前記駆動回路は、スイッチの切り替えによって、ソーラーパネル２０５で発電した電力をそのまま植物育成用ＬＥＤライト２０６に印加するようにすることが出来る。すなわちソーラーパネル２０５の出力端を植物育成用ＬＥＤライト２０６の入力端に直結したような形になるのである。太陽が出ていても光が弱いと言うような状況で、このモードは日照不足を補う一助となり得る。
【その他の実施形態】
【００４３】  植物育成のための照光部を有する支柱部を複数個並べて土中に入れ込んで立たせるものに、この複数個に共用される１個の太陽電池を備えたものとして、照光器具を構成することが出来る。またベランダ菜園や卓上菜園のプランターで用いるものとして設計することが出来る。また害獣撃退のためのフラッシュランプを併設して時々フラッシュするように設定することが可能である。
【産業上の利用可能性】
【００４４】  この発明は生簀や湖沼などの水上で用いて（水底に挿す）、水中の動植物に半導体発光素子から発する光を当てたり、特定微生物を増殖させて水質浄化を行うなどの用途が考えられる。
【符号の説明】
【００４５】１：照光器具  １０：筐体  １１：挿着口  １２：透明筒  １３：リフレクタ
１４：パイプ支柱  １５：斜めカット部  ２：ソーラーパネル  ２０：二次電池
２１：充放電コントローラ  ２２：植物育成用ＬＥＤライト  ２３：ソーラーパネル
２４：スライド杆  ２５：ソーラーパネル  ２６：植物育成用ＬＥＤライト
２７：電線  ２８：ソーラーパネル  ２９：植物育成用ＬＥＤライト
２００：充放電コントローラ  ２０１：受信回路  ２０２：植物育成用ＬＥＤライト
２０３：植物育成用ＬＥＤライト  ２０４：光透過型ソーラーパネル
２０５：ソーラーパネル  ２０６：植物育成用ＬＥＤライト  ３：照光器具
３０：筐体  ３１：透明カバー  ３２：収容溝  ３３：パイプ  ３４：パイプ
３５：挿着突起  ３６：挿着溝  ３７：尖端部材  ３８：挿着突起  ４：照光器具
４０：筐体  ４１：収容溝  ４２：回動軸  ４３：透明パイプ支柱  ４４：尖端部材
４５：挿着突起  ５：照光器具  ５０：筐体  ５１：パイプ  ５２：パイプ
５３：締め付けネジ  ５４：尖端部材  ６：送信回路  ６０：スイッチ回路
６１：第１スイッチ  ６２：第２スイッチ  ６３：第３スイッチ  ７：照光器具
７０：筐体  ７１：透明カバー  ７２：透明半球カバー  ７３：パイプ  ７４：パイプ
７５：締め付けネジ  ７６：尖端部材  ７７：踏み込み板  ８：照光器具  ８０：枠体
８１：ガラス板  ８２：ガラス板  ８３：発光部  ８４：回路部  ８５：パイプ
８６：パイプ  ８７：締め付けネジ  ８８：尖端部材  ９：照光器具  ９０：筐体
９１：パッカー  ９２：照光部  ９３：アーチ型パイプ  Ｓ：栽培土地
【図１】
2012028293.tif 000003
【図２】
2012028293.tif 000004
【図３】
2012028293.tif 000005
【図４】
2012028293.tif 000006
【図５】
2012028293.tif 000007
【図６】
2012028293.tif 000008
【図７】
2012028293.tif 000009
【図８】
2012028293.tif 000010
【図９】
2012028293.tif 000011
【図１０】
2012028293.tif 000012